(57)【要約】【課題】日頃の生活および／または活動空間そのものを、例えばそのままクラス１００以上の清浄空間として実現することができ、かつ酸素濃度に加えて二酸化炭素その他の濃度も法令等により要求されるレベルに維持することができる建築物を提供する。【解決手段】建築物は、内部に閉空間の生活等空間１０１を有する部屋１００を有する。生活等空間１０１は、その内部と外部との間において空気の気流としての出入りが無く、生活等空間１０１と外界との界面の少なくとも一部が、ダスト微粒子を通さず、気体分子は通す、拡散定数Ｄおよび厚みＬを有する膜３１０によって隔てられていることにより、生活等空間１０１に直接の気体の出入りがあるのと等価な、内部気体のリフレッシュ能力があり、生活等空間１０１に対し、法令またはその他の理由により要求される換気風量をＦとするとき、膜３１０の面積ＡがＡ≧ＦＬ／Ｄを満たすように設定されている。【選択図】図１
2018084404.tif 000002
【特許請求の範囲】
【請求項１】
少なくとも１つの部屋を有し、
上記部屋は内部に閉空間である生活および／または活動空間を有し、当該生活および／または活動空間は、その内部と外部との間において空気の気流としての出入りが無く、上記生活および／または活動空間と外界との界面の少なくとも一部が、ダスト微粒子を通さず、気体分子は通す、拡散定数Ｄおよび厚みＬを有する膜によって隔てられていることにより、上記生活および／または活動空間に直接の気体の出入りがあるのと等価な、内部気体のリフレッシュ能力があり、上記生活および／または活動空間に対し、法令またはその他の理由により要求される換気風量をＦとするとき、上記膜の面積Ａが、
Ａ≧ＦＬ／Ｄ
を満たすように設定されている建築物。
【請求項２】
少なくとも１つの部屋を有し、
上記部屋は内部に閉空間である生活および／または活動空間を有し、当該生活および／または活動空間は、その内部と外部との間において空気の気流としての出入りが無く、上記生活および／または活動空間と外界との界面の少なくとも一部が、ダスト微粒子を通さず、気体分子は通す膜によって隔てられていることにより、上記生活および／または活動空間に直接の気体の出入りがあるのと等価な、内部気体のリフレッシュ能力があり、
上記膜が、上記生活および／または活動空間の体積をＶ、上記膜の面積をＡ’、厚みをＬ’、上記膜中の二酸化炭素の拡散定数をＤ’とした時、｛（Ｖ／Ａ’）／（Ｄ’／Ｌ’）｝でスケーリングさせて設定された面積Ａ’を有し、
上記生活および／または活動空間内部の二酸化炭素発生レートをＢ’、外部と平衡状態にあり上記生活および／または活動空間内部で二酸化炭素発生の無い時の二酸化炭素濃度をξO 、上記生活および／または活動空間内部における目標二酸化炭素濃度をξ（ξ＜５０００ｐｐｍ）とした時、上記膜の面積Ａ’が、
2018084404.tif 000032
を満たすように設定されている建築物。
【請求項３】
少なくとも１つの部屋を有し、
上記部屋は内部に閉空間である生活および／または活動空間を有し、当該生活および／または活動空間は、その内部と外部との間において空気の気流としての出入りが無く、上記生活および／または活動空間と外界との界面の少なくとも一部が、ダスト微粒子を通さず、気体分子は通す膜によって隔てられていることにより、上記生活および／または活動空間に直接の気体の出入りがあるのと等価な、内部気体のリフレッシュ能力があり、
上記膜が、下記（１）により求められる上記膜の面積Ａの下限値Ａmin と、下記（２）により求められる上記膜の面積Ａ’の下限値Ａ’min とに対し、ＭＡＸ（Ａmin ，Ａ’min ）以上の面積を有する建築物。
（１）上記膜の面積をＡ、厚みをＬ、上記膜中の気体分子の拡散定数をＤとした時、上記生活および／または活動空間に対し、法令またはその他の理由により要求される換気風量をＦとするとき、Ａ≧ＦＬ／Ｄを満たす上記膜の面積Ａ。
（２）上記生活および／または活動空間の体積をＶ、上記膜の面積をＡ’、厚みをＬ’、上記膜中の二酸化炭素の拡散定数をＤ’とした時、上記膜の面積Ａ’は｛（Ｖ／Ａ’）／（Ｄ’／Ｌ’）｝でスケーリングさせて設定され、
上記生活および／または活動空間内部の二酸化炭素発生レートをＢ’、外部と平衡状態にあり上記生活および／または活動空間内部で二酸化炭素発生の無い時の二酸化炭素濃度をξO 、上記生活および／または活動空間内部における目標二酸化炭素濃度をξ（ξ＜５０００ｐｐｍ）とした時、
2018084404.tif 000033
を満たす上記膜の面積Ａ’。
【請求項４】
少なくとも１つの部屋を有し、
上記部屋は内部に閉空間である生活および／または活動空間を有し、
上記生活および／または活動空間と外界との界面の少なくとも一部が、ダスト微粒子を通さず、気体分子は通す膜によって隔てられており、
上記生活および／または活動空間内部には、当該生活および／または活動空間内部の空気を吸引する開口と、当該吸引空気を清浄化処理後、その全量を、再び、上記生活および／または活動空間内部に戻す吹き出し口とが、対となって設けられ、
上記膜が、上記生活および／または活動空間の体積をＶ、上記膜の面積をＡ’、厚みをＬ’、上記膜中の二酸化炭素の拡散定数をＤ’とした時、｛（Ｖ／Ａ’）／（Ｄ’／Ｌ’）｝でスケーリングさせて設定された面積Ａ’を有し、
上記生活および／または活動空間内部の二酸化炭素発生レートをＢ’、外部と平衡状態にあり上記生活および／または活動空間内部で二酸化炭素発生の無い時の二酸化炭素濃度をξO 、上記生活および／または活動空間内部における目標二酸化炭素濃度をξ（ξ＜５０００ｐｐｍ）とした時、上記膜の面積Ａ’が、
2018084404.tif 000034
を満たすように設定されている建築物。
【請求項５】
少なくとも１つの部屋を有し、
上記部屋は内部に閉空間である生活および／または活動空間を有し、当該生活および／または活動空間は、その内部と外部との間において空気の気流としての出入りが無く、上記生活および／または活動空間と外界との界面の少なくとも一部が、ダスト微粒子を通さず、気体分子は通す、拡散定数Ｄおよび厚みＬを有する膜によって隔てられている建築物の製造方法であって、
上記生活および／または活動空間に対し、法令またはその他の理由により要求される換気風量をＦとするとき、上記膜の面積Ａを
Ａ≧ＦＬ／Ｄ
を満たすように設定することにより、上記生活および／または活動空間に直接の気体の出入りがあるのと等価な、内部気体のリフレッシュ能力を与えることを特徴とする建築物の製造方法。
【請求項６】
少なくとも１つの部屋を有し、
上記部屋は内部に閉空間である生活および／または活動空間を有し、
上記部屋には、上記生活および／または活動空間の内部に気体が送り出されるように吹き出し口が設けられたファン・フィルターユニットが設けられ、上記吹き出し口から上記生活および／または活動空間の内部に流出する気体の全部が、上記ファン・フィルターユニットの吸入口へ還流するように構成され、上記部屋の壁に上記生活および／または活動空間の外部へ気体を排気するための開口が設けられており、
少なくとも１つのガス交換装置を有し、
上記ガス交換装置は、
少なくとも２つの気体吸入口と少なくとも２つの気体吐出口とを有する、閉空間を構成する箱状構造体を有し、
上記少なくとも２つの気体吸入口の１つが、上記少なくとも２つの気体吐出口の１つと連通するとともに、上記少なくとも２つの気体吸入口の他の１つが、上記少なくとも２つの気体吐出口の他の１つと連通し、
上記２つの連通路は、おのおの独立流路を形成しつつも、ダスト微粒子を通さず、気体分子は通す膜を以てお互いに近接しながら隔てられるように構成され、
上記部屋を取り囲む外部空間から導入される空気が上記気体吸入口の１つから上記ガス交換装置の上記箱状構造体に導入され、この気体吸入口と連通する上記気体吐出口から上記外部空間へと送出される一方、上記生活および／または活動空間の内気が上記気体吸入口の他の１つから上記ガス交換装置の上記箱状構造体に導入され、この気体吸入口と連通する上記気体吐出口から上記生活および／または活動空間へ還流され、
上記膜は、上記ガス交換装置の上記２つの連通路のうちの上記生活および／または活動空間への還流に用いられる連通路の体積をＶ、上記膜の面積をＡ’、厚みをＬ’、上記膜中の二酸化酸素の拡散定数をＤ’とした時、｛（Ｖ／Ａ’）／（Ｄ’／Ｌ’）｝でスケーリングさせて設定された面積Ａ’を有し、
上記生活および／または活動空間内部の二酸化炭素発生レートをＢ’、外部と平衡状態にあり上記生活および／または活動空間内部で二酸化炭素発生の無い時の二酸化炭素濃度をξO 、上記生活および／または活動空間内部における目標二酸化炭素濃度をξ（ξ＜５０００ｐｐｍ）とした時、上記膜の面積Ａ’が、
2018084404.tif 000035
を満たすように設定されている建築物。
【請求項７】
少なくとも１つの部屋を有し、
上記部屋は内部に閉空間である生活および／または活動空間を有し、
上記部屋には、上記生活および／または活動空間の内部に気体が送り出されるように吹き出し口が設けられたファン・フィルターユニットが設けられ、上記吹き出し口から上記生活および／または活動空間の内部に流出する気体の全部が、上記ファン・フィルターユニットの吸入口へ還流するように構成され、上記部屋の壁に上記生活および／または活動空間の外部へ気体を排気するための開口が設けられており、
少なくとも１つのガス交換装置を有し、
上記ガス交換装置は、
少なくとも２つの気体吸入口と少なくとも２つの気体吐出口とを有する、閉空間を構成する箱状構造体を有し、
上記少なくとも２つの気体吸入口の１つが、上記少なくとも２つの気体吐出口の１つと連通するとともに、上記少なくとも２つの気体吸入口の他の１つが、上記少なくとも２つの気体吐出口の他の１つと連通し、
上記２つの連通路は、おのおの独立流路を形成しつつも、ダスト微粒子を通さず、気体分子は通す膜を以てお互いに近接しながら隔てられるように構成され、
上記部屋を取り囲む外部空間から導入される空気が上記気体吸入口の１つから上記ガス交換装置の上記箱状構造体に導入され、この気体吸入口と連通する上記気体吐出口から上記外部空間へと送出される一方、上記生活および／または活動空間の内気が上記気体吸入口の他の１つから上記ガス交換装置の上記箱状構造体に導入され、この気体吸入口と連通する上記気体吐出口から上記生活および／または活動空間へ還流され、
上記膜が、下記（１）により求められる上記膜の面積Ａの下限値Ａmin と、下記（２）により求められる上記膜の面積Ａ’の下限値Ａ’min とに対し、ＭＡＸ（Ａmin ，Ａ’min ）以上の面積を有する建築物。
（１）上記膜の面積をＡ、厚みをＬ、上記膜中の気体分子の拡散定数をＤとした時、上記生活および／または活動空間に対し、法令またはその他の理由により要求される換気風量をＦとするとき、Ａ≧ＦＬ／Ｄを満たす上記膜の面積Ａ。
（２）上記生活および／または活動空間の体積をＶ、上記膜の面積をＡ’、厚みをＬ’、上記膜中の二酸化炭素の拡散定数をＤ’とした時、上記膜の面積Ａ’は｛（Ｖ／Ａ’）／（Ｄ’／Ｌ’）｝でスケーリングさせて設定され、
上記生活および／または活動空間内部の二酸化炭素発生レートをＢ’、外部と平衡状態にあり上記生活および／または活動空間内部で二酸化炭素発生の無い時の二酸化炭素濃度をξO 、上記生活および／または活動空間内部における目標二酸化炭素濃度をξ（ξ＜５０００ｐｐｍ）とした時、
2018084404.tif 000036
を満たす上記膜の面積Ａ’。
【請求項８】
上記ガス交換装置は、上記生活および／または活動空間の内気が上記気体吸入口の他の１つから上記箱状構造体に導入され、この気体吸入口と連通する上記気体吐出口から上記生活および／または活動空間へ還流される風量ｆが上記Ｆに対し、
ｆ≧Ｆ
を満たすように設定されている請求項７記載の建築物。
【請求項９】
上記ガス交換装置は上記部屋を構成する壁と上記生活および／または活動空間との間の空間に設置されている請求項６記載の建築物。
【発明の詳細な説明】
【技術分野】
【０００１】
この発明は建築物およびその製造方法に関し、特に、例えば、人が就寝・寛ぎ・作業・労働等の日常の生活および／または活動を行う、家屋・ビルディング等の建築物に含まれる部屋に関し、当該生活／活動空間の、建物全体に対する体積比率を下げることなく、内部の粉塵や菌などのダスト微粒子の数を一定以下に維持したり、外部からこれらの混入の無いクリーンエア（空気）環境を実現することができ、例えば、居住、静養、実験、製造・塗装作業、養護活動、医科／歯科治療等の場として用いて好適なものである。
【背景技術】
【０００２】
人類は現在、コンピュータ技術の発展に伴い、情報処理・通信環境に関しては、有史以来かつてない高度で便利な環境を実現し、いわば脳にとっては刺激的かつ申し分のない良好な場を実現していると言えようが、反面、体にとっての環境としては、汚染物質の増加や空気中の塵埃、感染性の細菌の浮遊等、現代社会は必ずしも良好な環境とは言い難い。
【０００３】
今、居住空間の内部において酸素消費レートＢで人が活動する（例えば、運動、就寝、或は簡易ガスコンロを焚いて鍋料理等を堪能する等の) 場合を考える。通常の人々の活動する部屋においては、建築基準法等の法令により、或る一定量の換気が義務付けられている。これは通常、部屋の内部に一定量の外気を導入することで達成されている。但し、障子で仕切られた部屋は、当該部屋への外気のメカニカルな導入はないものの、当該部屋とこれと隣接する部屋の２室で１室とみなすとの運用がなされている。この場合、現代科学に基づいての必要な障子面積などの定量的な評価がなされてきたとは必ずしも言い切れない。
【０００４】
他方、クリーン環境としては、大規模な半導体製造用として従来から存在している。しかし、これは、プロユース、つまり工業用であり、一般住宅などに用いられるいわゆる民生用としては導入されていない。かつて計算機の世界で、ビジネス用大型コンピューターメインフレームと一線を画する形で、”Computer for the rest of us ”を掲げてパーソナルコンピューターが勃興したように、２１世紀に入り、環境の重要性が益々高まる中、パーソナルコンピューターの“クリーン環境版”というものが現れても良い。事実、高性能化されて久しい大規模クリーンルームというまさに“メインフレーム”の対極にあるパーソナルクリーンスペースというのは、今後、純粋な民生用に限らず、病院や養護老人施設等の感染症のリスク回避が重要な場面で必ず重要になってくる。特に、ＰＭ２．５問題、花粉症対策、更には、喘息症状の緩和や細菌性肺炎の防止などの観点からも、生活空間の微生物存在（microbial)環境（マイクロビアル環境）も含めて空気環境を制御することは、このように今後益々重要となってくる。
【０００５】
このような背景の下で本発明者は、少なくとも１つの部屋を有し、その部屋は内部に閉空間である居住および／または作業空間を有し、その部屋には、その居住および／または作業空間の内部に気体が送り出されるように吹き出し口が設けられたファン・フィルターユニットが設けられ、上記吹き出し口から上記居住および／または作業空間の内部に流出する気体の全部が、上記ファン・フィルターユニットの吸入口へ還流するように構成され、上記部屋の壁に上記居住および／または作業空間の外部へ気体を排気するための開口が設けられている高清浄部屋システムあるいは建築物において、部屋の内面の少なくとも一部を、ダスト微粒子を通さず、気体分子は通す膜（ガス交換膜）をその一部に含む壁により構成することで、上記部屋内部の気体分子が、部屋を取り囲む外部空間と部屋内部空間との間で上記膜を介して濃度勾配により交換されるようにした（特許文献１−３）。この場合、居住および／または作業空間の体積をＶ、壁の有する膜中の酸素の拡散定数をＤ、膜の厚みをＬとした時、部屋は、体積Ｖと膜の面積Ａとを、｛（Ｖ／Ａ）／（Ｄ／Ｌ）｝でスケーリングさせて設計が行われたものである。そして、居住および／または作業空間内部の酸素消費レートをＢ、外部と平衡状態にあり上記居住および／または作業空間内部で酸素消費の無い時の酸素体積をＶO2、上記居住および／または作業空間内における目標酸素濃度をη（η＞０．１８）とした時、上記膜の面積Ａが、
【数０】
2018084404.tif 000003
を満たすように設定されている。この高清浄部屋システムあるいは建築物によれば、見た目・外観的には、通常の部屋と全く異ならない、日頃の生活空間そのものを体積比率を下げることなく、そのまま例えばクラス１００以上の清浄空間として実現することができるとともに、居住および／または作業空間内における酸素濃度を法令により要求されるレベルにすることができる。
【先行技術文献】
【特許文献】
【０００６】
【特許文献１】特許第５３２９７２０号
【特許文献２】特許第５８３９４２６号
【特許文献３】特許第５８３９４２９号
【発明の概要】
【発明が解決しようとする課題】
【０００７】
しかし、本発明者によるその後の研究により、上記のガス交換膜に必要な面積Ａは、部屋の内部の構成等によっては、二酸化炭素のガス交換に関しては必ずしも十分ではない場合があり得ることが判明した。コントロールの対象となるガスの分圧の小数点以下の桁数が当該ガス種により異なるためである。このため、部屋の内部の二酸化炭素その他の濃度を法令またはその他の理由により要求されるレベルに維持することが必要とされるが、これまで、具体的な提案はなされていないのが実情である。
【０００８】
そこで、この発明が解決しようとする課題は、新たな換気の概念に基づき、現代建築の標準フォーマットともマッチングを取りながら、日頃の生活および／または活動空間そのものを、例えばそのままクラス１００以上の清浄空間として実現することができるとともに、酸素濃度に加えて二酸化炭素その他の濃度も法令またはその他の理由により要求されるレベルに維持することができ、例えば、日本国内の病院、公共施設、一般家庭はもとより、大気環境が必ずしも良好であるとは言い難い海外の学校等に用いて好適な建築物およびその製造方法を提供することである。
【課題を解決するための手段】
【０００９】
上記課題を解決するために、この発明は、
少なくとも１つの部屋を有し、
上記部屋は内部に閉空間である生活および／または活動空間を有し、当該生活および／または活動空間は、その内部と外部との間において空気の気流としての出入りが無く、上記生活および／または活動空間と外界との界面の少なくとも一部が、ダスト微粒子を通さず、気体分子は通す、拡散定数Ｄおよび厚みＬを有する膜によって隔てられていることにより、上記生活および／または活動空間に直接の気体の出入りがあるのと等価な、内部気体のリフレッシュ能力があり、上記生活および／または活動空間に対し、法令またはその他の理由により要求される換気風量をＦとするとき、上記膜の面積Ａが、
Ａ≧ＦＬ／Ｄ
を満たすように設定されている建築物である。
【００１０】
また、この発明は、
少なくとも１つの部屋を有し、
上記部屋は内部に閉空間である生活および／または活動空間を有し、当該生活および／または活動空間は、その内部と外部との間において空気の気流としての出入りが無く、上記生活および／または活動空間と外界との界面の少なくとも一部が、ダスト微粒子を通さず、気体分子は通す膜によって隔てられていることにより、上記生活および／または活動空間に直接の気体の出入りがあるのと等価な、内部気体のリフレッシュ能力があり、
上記膜が、上記生活および／または活動空間の体積をＶ、上記膜の面積をＡ’、厚みをＬ’、上記膜中の二酸化炭素の拡散定数をＤ’とした時、｛（Ｖ／Ａ’）／（Ｄ’／Ｌ’）｝でスケーリングさせて設定された面積Ａ’を有し、
上記生活および／または活動空間内部の二酸化炭素発生レートをＢ’、外部と平衡状態にあり上記生活および／または活動空間内部で二酸化炭素発生の無い時の二酸化炭素濃度をξO 、上記生活および／または活動空間内部における目標二酸化炭素濃度をξ（ξ＜５０００ｐｐｍ）とした時、上記膜の面積Ａ’が、
2018084404.tif 000004
を満たすように設定されている建築物である。
【００１１】
また、この発明は、
少なくとも１つの部屋を有し、
上記部屋は内部に閉空間である生活および／または活動空間を有し、当該生活および／または活動空間は、その内部と外部との間において空気の気流としての出入りが無く、上記生活および／または活動空間と外界との界面の少なくとも一部が、ダスト微粒子を通さず、気体分子は通す膜によって隔てられていることにより、上記生活および／または活動空間に直接の気体の出入りがあるのと等価な、内部気体のリフレッシュ能力があり、
上記膜が、下記（１）により求められる上記膜の面積Ａの下限値Ａmin と、下記（２）により求められる上記膜の面積Ａ’の下限値Ａ’min とに対し、ＭＡＸ（Ａmin ，Ａ’min ）以上の面積を有する建築物である。
（１）上記膜の面積をＡ、厚みをＬ、上記膜中の気体分子の拡散定数をＤとした時、上記生活および／または活動空間に対し、法令またはその他の理由により要求される換気風量をＦとするとき、Ａ≧ＦＬ／Ｄを満たす上記膜の面積Ａ。
（２）上記生活および／または活動空間の体積をＶ、上記膜の面積をＡ’、厚みをＬ’、上記膜中の二酸化炭素の拡散定数をＤ’とした時、上記膜の面積Ａ’は｛（Ｖ／Ａ’）／（Ｄ’／Ｌ’）｝でスケーリングさせて設定され、
上記生活および／または活動空間内部の二酸化炭素発生レートをＢ’、外部と平衡状態にあり上記生活および／または活動空間内部で二酸化炭素発生の無い時の二酸化炭素濃度をξO 、上記生活および／または活動空間内部における目標二酸化炭素濃度をξ（ξ＜５０００ｐｐｍ）とした時、
2018084404.tif 000005
を満たす上記膜の面積Ａ’。
【００１２】
ここで、膜の面積Ａの下限値Ａmin はＡ≧ＦＬ／Ｄの右辺、膜の面積Ａ’の下限値Ａ’min は式（１８）を満たす最小値である。また、ＭＡＸ（Ａmin ，Ａ’min ）は、Ａmin とＡ’min との大きい方を意味する。
【００１３】
また、この発明は、
少なくとも１つの部屋を有し、
上記部屋は内部に閉空間である生活および／または活動空間を有し、
上記生活および／または活動空間と外界との界面の少なくとも一部が、ダスト微粒子を通さず、気体分子は通す膜によって隔てられており、
上記生活および／または活動空間内部には、当該生活および／または活動空間内部の空気を吸引する開口と、当該吸引空気を清浄化処理後、その全量を、再び、上記生活および／または活動空間内部に戻す吹き出し口とが、対となって設けられ、
上記膜が、上記生活および／または活動空間の体積をＶ、上記膜の面積をＡ’、厚みをＬ’、上記膜中の二酸化炭素の拡散定数をＤ’とした時、｛（Ｖ／Ａ’）／（Ｄ’／Ｌ’）｝でスケーリングさせて設定された面積Ａ’を有し、
上記生活および／または活動空間内部の二酸化炭素発生レートをＢ’、外部と平衡状態にあり上記生活および／または活動空間内部で二酸化炭素発生の無い時の二酸化炭素濃度をξO 、上記生活および／または活動空間内部における目標二酸化炭素濃度をξ（ξ＜５０００ｐｐｍ）とした時、上記膜の面積Ａ’が、
2018084404.tif 000006
を満たすように設定されている建築物である。
【００１４】
また、この発明は、
少なくとも１つの部屋を有し、
上記部屋は内部に閉空間である生活および／または活動空間を有し、当該生活および／または活動空間は、その内部と外部との間において空気の気流としての出入りが無く、上記生活および／または活動空間と外界との界面の少なくとも一部が、ダスト微粒子を通さず、気体分子は通す、拡散定数Ｄおよび厚みＬを有する膜によって隔てられている建築物の製造方法であって、
上記生活および／または活動空間に対し、法令またはその他の理由により要求される換気風量をＦとするとき、上記膜の面積Ａを
Ａ≧ＦＬ／Ｄ
を満たすように設定することにより、上記生活および／または活動空間に直接の気体の出入りがあるのと等価な、内部気体のリフレッシュ能力を与えることを特徴とする建築物の製造方法である。
【００１５】
また、この発明は、
少なくとも１つの部屋を有し、
上記部屋は内部に閉空間である生活および／または活動空間を有し、
上記部屋には、上記生活および／または活動空間の内部に気体が送り出されるように吹き出し口が設けられたファン・フィルターユニットが設けられ、上記吹き出し口から上記生活および／または活動空間の内部に流出する気体の全部が、上記ファン・フィルターユニットの吸入口へ還流するように構成され、上記部屋の壁に上記生活および／または活動空間の外部へ気体を排気するための開口が設けられており、
少なくとも１つのガス交換装置を有し、
上記ガス交換装置は、
少なくとも２つの気体吸入口と少なくとも２つの気体吐出口とを有する、閉空間を構成する箱状構造体を有し、
上記少なくとも２つの気体吸入口の１つが、上記少なくとも２つの気体吐出口の１つと連通するとともに、上記少なくとも２つの気体吸入口の他の１つが、上記少なくとも２つの気体吐出口の他の１つと連通し、
上記２つの連通路は、おのおの独立流路を形成しつつも、ダスト微粒子を通さず、気体分子は通す膜を以てお互いから隔てられるように構成され、
上記部屋を取り囲む外部空間から導入される空気が上記気体吸入口の１つから上記ガス交換装置の上記箱状構造体に導入され、この気体吸入口と連通する上記気体吐出口から上記外部空間へと送出される一方、上記生活および／または活動空間の内気が上記気体吸入口の他の１つから上記ガス交換装置の上記箱状構造体に導入され、この気体吸入口と連通する上記気体吐出口から上記生活および／または活動空間へ還流され、
上記膜は、上記ガス交換装置の上記２つの連通路のうちの上記生活および／または活動空間への還流に用いられる連通路の体積をＶ、上記膜の面積をＡ’、厚みをＬ’、上記膜中の二酸化酸素の拡散定数をＤ’とした時、｛（Ｖ／Ａ’）／（Ｄ’／Ｌ’）｝でスケーリングさせて設定された面積Ａ’を有し、
上記生活および／または活動空間内部の二酸化炭素発生レートをＢ’、外部と平衡状態にあり上記生活および／または活動空間内部で二酸化炭素発生の無い時の二酸化炭素濃度をξO 、上記生活および／または活動空間内部における目標二酸化炭素濃度をξ（ξ＜５０００ｐｐｍ）とした時、上記膜の面積Ａ’が、
2018084404.tif 000007
を満たすように設定されている建築物である。
【００１６】
また、この発明は、
少なくとも１つの部屋を有し、
上記部屋は内部に閉空間である生活および／または活動空間を有し、
上記部屋には、上記生活および／または活動空間の内部に気体が送り出されるように吹き出し口が設けられたファン・フィルターユニットが設けられ、上記吹き出し口から上記生活および／または活動空間の内部に流出する気体の全部が、上記ファン・フィルターユニットの吸入口へ還流するように構成され、上記部屋の壁に上記生活および／または活動空間の外部へ気体を排気するための開口が設けられており、
少なくとも１つのガス交換装置を有し、
上記ガス交換装置は、
少なくとも２つの気体吸入口と少なくとも２つの気体吐出口とを有する、閉空間を構成する箱状構造体を有し、
上記少なくとも２つの気体吸入口の１つが、上記少なくとも２つの気体吐出口の１つと連通するとともに、上記少なくとも２つの気体吸入口の他の１つが、上記少なくとも２つの気体吐出口の他の１つと連通し、
上記２つの連通路は、おのおの独立流路を形成しつつも、ダスト微粒子を通さず、気体分子は通す膜を以てお互いに近接しながら隔てられるように構成され、
上記部屋を取り囲む外部空間から導入される空気が上記気体吸入口の１つから上記ガス交換装置の上記箱状構造体に導入され、この気体吸入口と連通する上記気体吐出口から上記外部空間へと送出される一方、上記生活および／または活動空間の内気が上記気体吸入口の他の１つから上記ガス交換装置の上記箱状構造体に導入され、この気体吸入口と連通する上記気体吐出口から上記生活および／または活動空間へ還流され、
上記膜が、下記（１）により求められる上記膜の面積Ａの下限値Ａmin と、下記（２）により求められる上記膜の面積Ａ’の下限値Ａ’min とに対し、ＭＡＸ（Ａmin ，Ａ’min ）以上の面積を有する建築物である。
（１）上記膜の面積をＡ、厚みをＬ、上記膜中の気体分子の拡散定数をＤとした時、上記生活および／または活動空間に対し、法令またはその他の理由により要求される換気風量をＦとするとき、Ａ≧ＦＬ／Ｄを満たす上記膜の面積Ａ。
（２）上記生活および／または活動空間の体積をＶ、上記膜の面積をＡ’、厚みをＬ’、上記膜中の二酸化炭素の拡散定数をＤ’とした時、上記膜の面積Ａ’は｛（Ｖ／Ａ’）／（Ｄ’／Ｌ’）｝でスケーリングさせて設定され、
上記生活および／または活動空間内部の二酸化炭素発生レートをＢ’、外部と平衡状態にあり上記生活および／または活動空間内部で二酸化炭素発生の無い時の二酸化炭素濃度をξO 、上記生活および／または活動空間内部における目標二酸化炭素濃度をξ（ξ＜５０００ｐｐｍ）とした時、
2018084404.tif 000008
を満たす上記膜の面積Ａ’。
【００１７】
この建築物の発明においては、好適には、ガス交換装置は、上記生活および／または活動空間の内気が上記気体吸入口の他の１つから上記箱状構造体に導入され、この気体吸入口と連通する上記気体吐出口から上記生活および／または活動空間へ還流される風量ｆが上記Ｆに対し、
ｆ≧Ｆ
を満たすように設定される。
【００１８】
ここで、ガス交換装置は、好適には、部屋を構成する壁と生活および／または活動空間との間の空間、具体的には、例えば、屋根裏や部屋の側壁に設けられた二重壁の内部に設置される。
【００１９】
部屋とは、閉空間を構成する包囲体によって構成されるものであり、具体的には、例えば、建築物の一室などが挙げられる。建築物としては、例えば、戸建住宅、アパート、マンション、ビルディング、病院、映画館、養護施設、学校、保育園、幼稚園、体育館、工場、塗装ルーム、漆塗り部屋など、人間活動を支えるあらゆる室が挙げられる。また、部屋は、例えば、内部空間を有する移動体内部の部屋などにも適用でき、かかる移動体としては、例えば、自動車、なかんずく救急車、飛行機、旅客列車、旅客バス、ヨット船室、客船などが挙げられる。
【００２０】
生活および／または活動空間の内部と外部との間において空気の気流としての出入りが無いというのは、例えば、この建築物の稼動中に、当該生活および／または活動空間に関する気流がイン、アウトともに厳密にゼロであることを意味するが、このことに限定されるものではなく、例えば、生活および／または活動空間の１００％循環フィードバックされる空気流量よりはるかに少ない流量の清浄空気流を出し入れすることも含む。また、生活および／または活動空間の内部と外部との間において正味の空気の流れが無いというのは、例えば、部屋の内の外が等圧であることを含む。
【００２１】
生活および／または活動空間とは、例えば、内部で人が就寝・寛ぎ・作業・労働等の日常生活／活動を行う空間であり、居住、静養、実験、製造・塗装作業、養護活動、医科／歯科治療等の場として用いて好適なものである。
【００２２】
ダスト微粒子を通さず、気体分子は通す膜（ガス交換膜）は、この膜によって隔てられる空間の間においてダスト微粒子を通さず気体分子を通すことができる膜であれば、基本的には限定されないが、例えば、ダスト微粒子を通さず気体分子は通す膜の隔てる空間の圧力差が０であっても、膜の両側の空気を構成する気体成分の分圧に差があるときには、この膜を介して気体分子が交換され得るものであることが好ましい。ここで、「ダスト微粒子は通さず」とは、ダスト微粒子を完全に（１００％）通さない場合のほか、ダスト微粒子を厳密に１００％は通さない場合も含む（以下同様）。具体的には、一般に使用される古来よりの障子紙の他、中性能フィルター、ＨＥＰＡフィルター、ＵＬＰＡフィルターなどが挙げられる。より詳細には、ダスト微粒子の阻止率（透過率）は１００％（０％）ならずとも、粒径１０μｍ以上の粒子に対しては、少なくとも９０％以上（１０％以下）、望ましくは９９％（１％）以下である。ダスト微粒子を通さず気体分子は通す膜の素材は、必要に応じて選ばれるが、例えば、防塵フィルター素材、障子紙、不織布、ポリエステルまたはアクリル系等の合成繊維や、パルプ、レーヨン等のセルロース系繊維が用いられる。
【００２３】
この発明におけるＡ≧ＦＬ／Ｄなる不等式および式（１８）の導出方法を説明する。
【００２４】
今、ある体積Ｖをもつ生活および／または活動空間（人間が生活・活動する空間）を考える。建築基準法等にのっとって風量Ｆにて換気がなされているとする。この気流により、この空間内の空気は十分早くかき回され、双方の内部で空気を構成するガス分子は十分早く均一化すると考えてよく、この時、この部屋内部では空間座標依存性を無視することができる。この部屋で、酸素消費量Ｂ（ｍ3 ／ｓ）の活動がなされているとする。時刻ｔにおける部屋内部の酸素濃度をη（ｔ）とし、外界の酸素濃度（＝部屋内部で酸素消費の無い時の酸素濃度）をηo とすると、時刻ｔ＋δｔにおける酸素の体積Ｖη（ｔ＋δｔ）は、時刻ｔにおける酸素体積Ｖη（ｔ）を使って
【数１】
2018084404.tif 000009
と記すことができる。この式（１）の第２項は、時間区間（ｔ、ｔ＋δｔ）の間の酸素消費に伴う酸素体積の減少、第３項はその間に風量Ｆの換気を通じて外界のフレッシュエア（酸素濃度η0 を有する）が入ってくることによる酸素体積の増加、第４項は（上述の風量Ｆの外気給気に伴い）同量の内気（その酸素濃度はη（ｔ）であることに注意）がその間に排出されることによる酸素体積の減少を示す。右辺第一項を左辺に移項して両辺をδｔで除することにより、微分方程式：
【数２】
2018084404.tif 000010
が得られる。初期条件として、時刻ｔ＝０で室内の酸素濃度は外界のそれと等しいことから、η（０）＝η0 が成り立つので、微分方程式（２）の解は、
【数３】
2018084404.tif 000011
と求まる。十分時間がたつと系は定常状態に達し、式（３）の指数関数部がゼロになることから、或はまた、式（２）の左辺がゼロとなることから解るように、内部の酸素濃度は一定値
【数４】
2018084404.tif 000012
に収束する。
【００２５】
他方、体積Ｖをもつ生活および／または活動空間を、外界との気流のやりとりのない孤立系として成立させると、この生活および／または活動空間を閉空間として定義する“外界との境界面”を横切る空気流がゼロとなる。即ち、上述の部屋に流れ込む風量（＝部屋から流れ出る風量）Ｆはゼロである。その代わり、当該境界面の一部にガス交換能力を有する膜を用いて隔壁を形成する。この膜の面積をＡ，厚みをＬ，この膜を通過する気体分子の拡散定数をＤとする。この孤立閉空間をなす部屋において、上記と同じく単位時間あたりＢ（ｍ3 ／ｓ）にて酸素を消費せしめるとすると、アボガドロ数をＮ0 、系の置かれた圧力（〜１気圧）における１モルあたりの気体体積をＣ、上記隔壁（ガス交換膜）の面積をＡ、隔壁を通して包囲体の内部に入ってくる酸素のフラックスをｊとすると、時刻ｔ＋δｔにおける酸素の体積Ｖη（ｔ＋δｔ）は、時刻ｔにおける酸素体積Ｖη（ｔ）を使って
【数５】
2018084404.tif 000013
が成り立つ。ここでも（後段にて述べるように１００％循環フィードバック系を部屋内に構築すると、ファン・フィルターユニットにより発生する空気流により、生活および／または活動空間での空気は十分早くかき回されるため、空気を構成するガス分子は生活および／または活動空間内部で十分早く均一化するので）生活および／または活動空間内部では空間座標依存性を良い近似で無視することができることを用いた。式（５）の右辺第３項は、上記ガス交換膜の両側（即ち生活および／または活動空間内部と外界との間）での酸素濃度差（濃度勾配）のために流入してくる酸素分子の数である（空気流としてではなく、分子の拡散として酸素が生活および／または活動空間内部に入ってくるのであり、上述の式（１）〜（４）で記述される現象とは全く性質を異にする）。式（５）において、ｊは
【数６】
2018084404.tif 000014
で与えられる。ただし、φは生活および／または活動空間の内部の単位体積当たりの酸素分子数、Ｄはガス交換膜中の酸素の拡散定数で、ガス交換膜に垂直な方向をｘ軸としたとき、∇はこのｘ軸方向の微分演算子である。生活および／または活動空間の体積をＶ、ガス交換膜の厚みをＬとすると、Ｌは、生活および／または活動空間の寸法に比べ３桁以上程度小さく、極めて薄いと見なせるので、数式（５）は、
【数７】
2018084404.tif 000015
と良い精度で近似することが出来る。η0 は、式（１）、式（２）におけるのと同様に、外界の酸素濃度であり、通常２０．９％程度である。式（７）より、微分方程式
【数８】
2018084404.tif 000016
が導かれる。数式（８）の厳密解は、
【数９】
2018084404.tif 000017
と求まる。ここでは十分時間がたった後の定常状態に対応する解に興味があるので、式（８）の左辺＝０とおくと、時刻ｔにおける酸素濃度は
【数１０】
2018084404.tif 000018
と求まる（式（９）でｔ→∞とした場合に一致する）。
ここで、建築基準法等に従って風量Ｆで換気して、室内の酸素濃度を担保する方法と、障子紙などのガス交換膜としての機能をもつ膜を生活および／または活動空間の一部に用いることで外界から（酸素が濃度勾配を緩和する方向にガス交換膜内を拡散することを利用して）酸素を室内（包囲体内）に供給する場合の２つを比較することができる。即ち、式（２）と式（８）[ 或は、式（４）と式（１０）] を比べると、
【数１１】
2018084404.tif 000019
と同定することで、建築基準法等に従って風量Ｆで換気して、室内の酸素濃度を担保する方法と、障子紙などの面積Ａ、厚みＬ、分子拡散定数Ｄを持つガス交換膜を室内と外界の境界の一部に用いることが、等価であることが示された。これは空気中の窒素は生命体の維持活動には基本的にバイスタンダーであることによる。従来のノンゼロ風量換気が”全血献血”に相当するところ、本発明の手法は、”成分献血”に相当すると考えると理解しやすい。日本古来の障子の有効性が、今、厳密に定量性を以って理解される。次元解析を行うと風量Ｆは［ｍ3 ／ｓ］の次元をもち、ＡＤ／Ｌは、次元［（ｍ2 ・ｍ3 ／ｓ）／ｍ］＝［ｍ3 ／ｓ］であり、まさに風量の次元をもつことから、等価性が裏付けられる。即ち、建築基準法等に従って風量Ｆで換気して、室内の酸素濃度を担保する方法は、式（１１）を満たすＡ，Ｄ，Ｌを有するガス交換膜をして気密性を持つ生活および／または活動空間と外界との境界に用いることで、同等の酸素交換能を担保することができる。この境界・界面は、一枚のガス交換膜（必要に応じてこれをGas Exchange Membrane:ＧＥＭと呼ぶ）であってもよいし、多数枚を集積して、各膜面の両側を内気と外気が層状に流れるようにした一体物、即ちガス交換装置（必要に応じてこれをGas Exchange Box :Ｇ×Ｂと呼ぶ）でもよい。これらにより、メカニカルな駆動力に基づく換気ではなく、濃度勾配が存在するところに生じる拡散を通じて、気密性の高い生活および／または活動空間内部への必要なガス成分（例えば酸素）の外界からの供給、あるいは、或る閉空間内部からの不必要ガス成分（例えば二酸化炭素）の外界への排出を行うことを可能とする（当該閉空間の一部として構成する定量的面積を有するところの）ガス交換膜を与えることができる。エネルギー等分配則が成り立つため、当該ガス交換膜中の各気体分子の拡散定数は、当該分子の質量のスクエアルート（の逆数）に従うのみであるので、例えば、二酸化炭素と酸素では桁数に違いはなく、前係数にいくらかの差がある程度である（共に、〜１０-5ｍ2 ／ｓのオーダーである）。
【００２６】
続いて、生活および／または活動空間の内部で燃焼が生じる場合の酸素消費と二酸化炭素発生を考える。単純に炭素が燃える場合は、
【化１】
2018084404.tif 000020
糖系の燃焼では最終的に
【化２】
2018084404.tif 000021
となり、酸素消費と二酸化炭素発生はほぼ１：１であるということができる。この炭素系化合物の燃焼にともなう二酸化炭素の濃度ξ（ｔ）の変化は、燃焼に伴い濃度が上昇する方向であり、内部の濃度が高まると外界に放出されるので、二酸化炭素発生レートをＢ’（ｍ3 ／ｓ）、外界の二酸化炭素濃度をξo 、ガス交換膜面積をＡ’、上記ガス交換膜における二酸化炭素の拡散定数をＤ’として
【数１２】
2018084404.tif 000022
が成立する。これより
【数１３】
2018084404.tif 000023
が得られる。この方程式の解は、時刻ｔ＝０で、内部と外界で二酸化炭素濃度が平衡状態にある場合は、ξ（０）＝ξo より
【数１４】
2018084404.tif 000024
となる。十分時間がたった時は、二酸化炭素濃度は、
【数１５】
2018084404.tif 000025
に収束するが、時刻ｔ＝０で、内部の二酸化炭素濃度が式（１５）より大きな或る値Ｃｏである場合は、式（１３）の解は
【数１６】
2018084404.tif 000026
となる。
【００２７】
生活および／または活動空間内の二酸化炭素濃度が当初外界と平衡状態の状況から出発し、生活および／または活動空間内部で人が活動する場合を考えよう。生活および／または活動空間内の二酸化炭素濃度は、法規制よりある一定値ξmax を超え無いよう求められている。これを勘案して、ターゲットとする二酸化炭素濃度ξ（ξ＜ξmax ）を、式（１５）より
【数１７】
2018084404.tif 000027
である必要があり、これを満たすべくガス交換膜の面積Ａ’は
【数１８】
2018084404.tif 000028
であれば、生活および／または活動空間内部の二酸化炭素濃度は、法規制値を超えることがなく、内部で活動する人間の安全が保たれる。
【００２８】
今、生活および／または活動空間内部にて人間がある一定の活動をする際に、これを超えないようにと目標とする二酸化炭素濃度をξ（ξ＜ξmax を満たす）とすると、式（１８）より、二酸化炭素発生量が小さいほど、ガス交換膜が薄いほど、また、二酸化炭素分子の拡散定数が大きいガス交換膜であるほど、その必要面積Ａは小さくてよいとの指針が得られる。これを変形して
【数１９】
2018084404.tif 000029
が得られる。左辺の分子は、生活および／または活動空間の形（生活および／または活動空間のアスペクト比）のみで決まり、分母はガス交換膜の性質のみで決まる。そして、互いより峻別された分子と分母、両者の比であるところの左辺が応答の時定数を決める。式（１９）より、この応答時間は、二酸化炭素の発生レートが大きい時ほど、小さくある（即ち、早く応答する）必要があることがわかる。式（１９）の左辺の量について同じ値を与える（Ｖ，Ａ‘，Ｄ’, Ｌ）の組は、各々の値が異なっていても、生活および／または活動空間としては同じ応答時間を有する。このスケーリング則により、任意の生活および／または活動空間に対し、高清浄システムを設計できる。
【００２９】
遵守すべき二酸化炭素濃度を与えるいくつかのスタンダードがある。例えば、建築物環境衛生管理基準では１０００ｐｐｍ以下、学校環境衛生基準では１５００ｐｐｍ以下であることが望ましいとされるが、例えば学校の実際の教室では、状況によって、２５００ｐｐｍ〜３０００ｐｐｍになることも報告されている（生命にはかかわらないが、ぼーっとしたり、集中力が弱まることが指摘されている）。衛生的な限界値は、５０００ｐｐｍとされている。酸素の場合、２０．９％の標準濃度に対し、望ましくは２０％台であることが求められるが、健康上・活動上の問題を引き起こさない値としては、１８．５％という値が与えられている。従って、上記の基準濃度を満たすようにガス交換膜面積を定めるには、二酸化炭素に対して順守するには、酸素に対しての時に比べ約一桁大きい面積を必要とすることが、式（１８）の不等式における濃度変数の組み込まれ方からわかる。このため、ガス交換能力を高めるには、後述の図２〜図５に示すようなガス交換膜の多数枚スタック構造をコアとして、これに室内気体（内気）と外気を、ガス交換膜を介して、気流としては直接混じらぬよう、しかし、濃度勾配による拡散によってガス成分自体は交換できるよう設定することが、特に、二酸化炭素の室内から室外への排出において、効果的であることがわかる。空気中の酸素と二酸化炭素の拡散定数は、各々、約１．７×１０-5ｍ2 ／ｓ、約１．６×１０-5ｍ2 ／ｓである。拡散のみにて、数ｍオーダーの大きさの生活および／または活動空間の濃度を一定にするには、数十時間程度要してしまうので現実的でない。効率的にガス交換を行い、この後、すみやかに生活および／または活動空間内のガス濃度を平準化するには、ガス交換装置にファンを２基設置して、外気の流れと、ガス交換後室内に還流する内気の流れを有意に生じさせることが好ましい。風量は生活および／または活動空間の大きさに応じて、一般的には０．１〜数百ｍ3 ／分に設定される。内気が通る領域のガス交換膜の面間隔（幅）および外気が通る領域のガス交換膜の面間隔（幅）は必要に応じて選ばれる。例えば、内気が通る領域のガス交換膜の面間隔を、ガス交換に要する時間が短くなるように小さく調整し、外気が通る領域のガス交換膜の面間隔はそれより大きく設定することができる。このようなガス交換膜の面間隔の非対称な設定では、ガス交換後の成分濃度を、体積比を通じて、局所的に外気の濃度に近づける効果が期待される。上記のファン風量が十分大きい場合は、対称的に面間隔を設定することも、内気・外気対称的にファンを設定できるということで、系の全体としての対称性、安定性の面で有力である。
【発明の効果】
【００３０】
この発明によれば、生活および／または活動空間内部と外界との間の気体の交換をすることがなくても（内外の気流の交換の風量Ｆ＝０でも）、気体分子の拡散を通じて、実効的に風量Ｆで換気するのと同等の効果を得ることができる。即ち、法令の定める気体濃度またはその他の理由により決められる気体濃度を最低限守るためのガス交換膜の面積を定量的に与えることができる。これに、１００％循環フィードバックシステムを併用することで、清浄度の高い室内を、気体環境を、部屋内部で活動する人々（作業者、勉学に励む生徒たち等）の安心・安全を担保しつつ、実現することができる。
【図面の簡単な説明】
【００３１】
【図１】第１の実施の形態による建築物を示す断面図である。
【図２】第１の実施の形態による建築物に使用されるガス交換装置が有する箱状構造体の一例を示す上面図である。
【図３】第１の実施の形態による建築物に使用されるガス交換装置が有する箱状構造体の一例を示す正面図である。
【図４】第１の実施の形態による建築物に使用されるガス交換装置が有する箱状構造体の一例を示す側面図である。
【図５】図２の５−５線に沿っての断面図である。
【図６】第１の実施の形態による建築物に使用されるガス交換装置の一例を示す正面図および側面図である。
【図７】第２の実施の形態による建築物を示す断面図である。
【図８】第２の実施の形態による建築物の部屋の生活等空間の内部から互いに交差する二つの壁面を見た斜視図である。
【図９】第２の実施の形態による建築物の部屋の生活等空間の一つの壁面の裏側のスペースにガス交換装置３００が収納されている様子を示す斜視図である。
【図１０】第２の実施の形態による建築物の部屋の生活等空間の内部から互いに交差する二つの壁面を見た斜視図である。
【図１１】第２の実施の形態による建築物に使用されるガス交換装置の一例を示す正面図、左側面図および右側面図である。
【図１２】第３の実施の形態による建築物の部屋の天井に設置された空調機、この空調機の前面パネル上にフィルターユニットが装着された状態およびフィルターユニットを示す平面図である。
【図１３】第４の実施の形態による建築物を示す断面図である。
【図１４】実施例１において作製したガス交換装置を示す図面代用写真である。
【図１５】実施例２において作製したガス交換装置を示す図面代用写真である。
【図１６】実施例２による建築物の部屋の生活等空間を示す図面代用写真である。
【図１７】図１６に示す生活等空間の１つの障子の裏側の空間に図１５に示すガス交換装置が設置されている様子を示す図面代用写真である。
【図１８】実施例２において室内でガスコンロを燃焼させたときの酸素濃度および二酸化炭素濃度の時間変化を測定した結果を示す略線図である。
【図１９】実施例３において測定された清浄度の時間変化を示す略線図である。
【図２０】実施例３において測定された清浄度の時間変化を示す略線図である。
【図２１】実施例３において測定された清浄度の時間変化を示す略線図である。
【発明を実施するための形態】
【００３２】
以下、発明を実施するための形態（以下「実施の形態」とする）について説明する。
【００３３】
〈１．第１の実施の形態〉
図１は第１の実施の形態による建築物を示す。建築物は一般的には複数の部屋を有するが、図１には一つの部屋のみ示されている。図１に示すように、この建築物は、給気口１０および排気口２０の部分を除いて、気密性の高い部屋１００を有する。部屋１００は閉空間を形成している。部屋１００の形状は必要に応じて決められるが、例えば、長方形の平面形状を有する直方体形状、長方形の平面形状の一角の長方形の領域を切除した凹六角形（あるいはＬ字型）の平面形状を有するもの、Ｕ字型の平面形状を有するもの、これらの内壁の一部または全部を曲面にしたもの等である。この閉空間を構成する部分空間として生活および／または活動空間（以下、「生活等空間」という）１０１と天井裏１０２とを有する。天井裏１０２は、２重天井によって形成される内部空間である。この２重天井は、部屋１００の頂面１０３と、この頂面１０３の下方にこの頂面１０３から一定距離を置いて互いに対向するようにして設けられた天井壁１０４とによって構成されている。言い換えると、生活等空間１０１と天井裏１０２とは、天井壁１０４によって隔てられている。生活等空間１０１は、一人または複数人がその中で居住したり、作業、集会等をしたりする空間であり、そのために必要な広さを有する。部屋には窓や人の出入りのためのドアが取り付けられているがそれらの図示および説明は省略している。
【００３４】
生活等空間１０１の天井壁１０４の上に、ファン・フィルターユニット２００およびガス交換装置３００が設置されている。天井壁１０４には、ファン・フィルターユニット２００の空気吸込口２０１および空気吹出口２０２に対応する部分にそれぞれ開口１０４ａ、１０４ｂが対になって設けられ、ガス交換装置３００の内気回収口３０１および還流口３０２に対応する部分にそれぞれ開口１０４ｃ、１０４ｄが設けられている。そして、生活等空間１０１内の空気が開口１０４ａから吸い込まれ、ファン・フィルターユニット２００の空気吸込口２０１に入り、ファン・フィルターユニット２００によって清浄化された空気が全量、空気吹出口２０２から生活等空間１０１内に吹き出されるようになっている。即ち、１００％循環フィードバックシステムが構成されている。また、ガス交換装置３００の外気導入口３０３は、必要に応じてダクトを介して、部屋１００の側壁１０５に設けられた給気口１０に接続され、排出口３０４は、必要に応じてダクトを介して、側壁１０６に設けられた排気口２０に接続されている。また、ガス交換装置３００の内気回収口３０１は、必要に応じてダクトを介して、天井壁１０４に設けられた開口１０４ｃに接続され、還流口３０２は、必要に応じてダクトを介して、天井壁１０４に設けられた開口１０４ｄに接続されている。ガス交換装置３００の内部のガス交換部には少なくとも一枚のガス交換膜３１０が設けられている。そして、生活等空間１０１の内気が天井壁１０４に設けられた開口１０４ｃおよびガス交換装置３００の内気回収口３０１を介してガス交換部のガス交換膜３１０で隔てられた一方の空間に導入されるとともに、側壁１０５に設けられた給気口１０およびガス交換装置３００の外気導入口３０３を介してガス交換部のガス交換膜３１０で隔てられた上記の他方の空間に導入され、外気中の酸素がこのガス交換膜３１０を透過して上記の一方の空間に導入されるとともに、上記の一方の空間に導入された内気中の二酸化炭素がこのガス交換膜３１０を酸素と逆方向に透過して上記の他方の空間に導入される。こうして外気から酸素が供給された内気はガス交換装置３００の還流口３０２から生活等空間１０１に還流される。また、内気から二酸化炭素が供給された外気はガス交換装置３００の排出口３０４および側壁１０６に設けられた排気口２０から外部に排出される。
【００３５】
ガス交換装置３００は、具体的には例えば次のように構成される。図２〜図５はガス交換装置３００の内部のガス交換部３５０の構成の一例を示す。ここで、図２〜図５はそれぞれガス交換部３５０の上面図、正面図、側面図および図２の５−５線断面図である。また、図６ＡおよびＢはそれぞれガス交換装置３００の正面図および側面図である。
【００３６】
図２〜図５に示すように、ガス交換部３５０は次のように構成されている。即ち、正方形状の平板３５１の一方の面に互いに対向する二辺に沿って設けられた長方形断面の高さｈ1 の二本のスペーサＳ1 上にガス交換膜３１０が張られ、その上に、スペーサＳ1 と直交する互いに対向する二辺に対応する部分に設けられた長方形断面の高さｈ2 のスペーサＳ2 上にガス交換膜３１０が張られたものが積層され、その上に、高さｈ1 のスペーサＳ1 上にガス交換膜３１０が張られたものが積層され、同様にして、スペーサＳ2 上にガス交換膜３１０が張られたものとスペーサＳ1 上にガス交換膜３１０が張られたものとが交互に繰り返し積層され、最後のスペーサＳ1 上にガス交換膜３１０が張られたものの上に、平板３５１と同じ形状の平板３５２の一方の面に互いに対向する二辺に沿って設けられた長方形断面の高さｈ2 の二本のスペーサＳ2 がスペーサＳ2 を下にして設けられている。この例では、合計１９枚のガス交換膜３１０が設けられている。このガス交換部３５０に含まれるガス交換膜３１０の総面積は式（１８）を満たすように、あるいはＡ≧ＦＬ／Ｄを満たすように、あるいはＭＡＸ（Ａmin ，Ａ’min ）以上に決められる。ガス交換膜３１０は通常極めて薄いので、その厚さを無視すると、スペーサＳ2 で隔てられた二枚のガス交換膜３１０の間の間隔はほぼｈ2 、スペーサＳ1 で隔てられた二枚のガス交換膜３１０の間の間隔はほぼｈ1 である。スペーサＳ2 で隔てられた二枚のガス交換膜３１０の間の空間は内気が通される空間であり、スペーサＳ1 で隔てられた二枚のガス交換膜３１０の間の空間は外気が通される空間である。この外気と内気の流れる向きはほぼ直交する。ｈ1 、ｈ2 は必要に応じて選ばれるが、ガス交換膜３１０を介して内気の二酸化炭素と外気の酸素との交換を効率的に行うためには、内気の導入量に対し外気の導入量を相対的に大きくするのが望ましいために一般的にはｈ1 ≧ｈ2 とされ、好適にはｈ1 ＞ｈ2 とされる。図２〜図５に示すガス交換部３５０ではｈ1 ＞ｈ2 の場合が示されている。具体的には、例えばｈ1 ≒（２〜７）×ｈ2 に選ばれる。一例を挙げると、ｈ1 ＝２５ｍｍ、ｈ2 ＝５ｍｍである。またｈ1 とｈ2 とが等しくない場合は、形を図４のガス交換部３５０の形状を正方形からｈ1 とｈ2 との比に従って、外気と内気の通風コンダクタンスをそろえる方向にアスペクト比を設定した長方形とすることが好ましい。
【００３７】
図６ＡおよびＢに示すように、ガス交換装置３００は、本体が正十二面体状の包囲体３６０を有する。包囲体３６０の両面は正十二面体の底面および上底面から一方向に広がっており、包囲体３６０の一つの稜線３６１を通る一辺が他の辺に比べて十分に長い九角形状になっている。この包囲体３６０の両面の稜線３６１を通る長い辺には、この両面に対して垂直に突出し、かつ包囲体３６０の長い辺に沿って延びる細長い支持部３６２、３６３が設けられている。ガス交換装置３００を固定する際には、これらの支持部３６２、３６３の複数箇所に設けられた孔（図示せず）にボルトを通して設置部に固定するようになっている。この包囲体３６０の内部に箱状のガス交換部３５０が収納されている。ガス交換部３５０の両側面の平板３５１、３５２は包囲体３６０の両面とほぼ接触しているとともに、ガス交換部３５０の角の稜線３５１〜３５４はそれぞれ包囲体３６０の稜線３６１、３６４〜３６６と一致するようになっているため、ガス交換部３５０は包囲体３６０の中で殆ど動かないように収納されている。ガス交換装置３００を固定する状態ではガス交換膜３１０は鉛直方向になることから、互いに対向する２枚のガス交換膜３１０の間の空間に塵埃などが入ってきても自然に落下するため、ガス交換膜３１０表面上に塵埃が滞留して目詰まりが生じることによるガス交換能の劣化を防止することができる。
【００３８】
包囲体３６０の四つの側面３６７〜３７０にはそれぞれ円筒状の外気導入口３０３、還流口３０２、排出口３０４および内気回収口３０１が設けられている。この場合、外気導入口３０３から導入される外気は、スペーサＳ1 で隔てられた二枚のガス交換膜３１０の間の空間を通った後、排出口３０４から排出される。また、内気回収口３０１から導入される内気は、スペーサＳ2 で隔てられた二枚のガス交換膜３１０の間の空間を通った後、還流口３０２から排出される。
【００３９】
この第１の実施の形態によれば、ガス交換部３５０に含まれるガス交換膜３１０の総面積Ａ’が式（１８）を満たすように決められているため、酸素濃度に加えて二酸化炭素濃度も法令またはその他の理由により要求されるレベルに維持することができる。また、１００％循環フィードバックシステムにより、生活等空間１０１を例えばクラス１００以上の清浄度の清浄空間とすることができる。この建築物は、例えば、日本国内の病院、公共施設、一般家庭はもとより、大気環境が必ずしも良好であるとは言い難い海外の学校等に用いて好適なものである。
【００４０】
〈２．第２の実施の形態〉
図７は第２の実施の形態による建築物を示す。第１の実施の形態と同様に、図７には一つの部屋のみ示されている。図７に示すように、この建築物は、給気口１０および排気口２０の部分を除いて、気密性の高い部屋１００を有する。生活等空間１０１の天井壁１０４の上にファン・フィルターユニット２００が設置されている。図８は生活等空間１０１の内部から互いに交差する二つの壁面１０１ａ、１０１ｂを見た図である。図８に示すように、これらの壁面１０１ａ、１０１ｂに障子４０１、４０２が取り付けられている。障子４０１、４０２の障子紙に相当するものとしてガス交換膜３１０が用いられている。第１の実施の形態と異なり、ガス交換装置３００は、天井壁１０４の上ではなく、障子４０１の裏側のスペースに設置されている。図９は障子４０１の片側半分を開けた状態、図１０は障子４０１を占めた状態を示す。図９に示すように、ガス交換装置３００は、天井壁１０４、部屋１００の側壁１０６、障子４０１および台５００とに囲まれた空間の台５００上に設置されている。
【００４１】
ガス交換装置３００は、具体的には、例えば図１１Ａ、ＢおよびＣに示すように構成される。ここで、図１１Ａ、ＢおよびＣはそれぞれガス交換装置３００の正面図、左側面図および右側面図である。図１１Ａ、ＢおよびＣに示すように、ガス交換装置３００は、正四角柱状の包囲体３６０を有する。この包囲体３６０の内部に図２〜図５に示すガス交換部３５０が包囲体３６０に対して４５°回転した状態で収納されている。より詳細には、ガス交換部３５０は、その四つの稜線が包囲体３６０の各側面の二等分線上で内接した状態で包囲体３６０に収納されている。包囲体３６０の一つの側面にはそれぞれ円筒状の外気導入口３０３および還流口３０２が設けられ、この側面に対向するもう一つの側面にはそれぞれ円筒状の排出口３０４および内気回収口３０１が設けられている。
【００４２】
図９に示すように、ガス交換装置３００は、内気回収口３０１、還流口３０２、外気導入口３０３および排出口３０４が設けられていない一つの側面を下にして、台５００上に固定された二つの支持部材５０１、５０２上にＬ字金具（図示せず）で固定されている。そして、ガス交換装置３００の内気回収口３０１、還流口３０２、外気導入口３０３および排出口３０４にそれぞれダクト６０１、６０２、６０３、６０４の一端が接続され、その他端は上方に延びて天井壁１０４を貫通し、天井裏１０２を通ってそれぞれ、天井壁１０４に設けられた開口１０４ｃ、天井壁１０４に設けられた開口１０４ｄ、側壁１０５に設けられた給気口１０および側壁１０６に設けられた排気口２０に接続されている。ガス交換装置３００を固定する状態ではガス交換膜３１０は鉛直方向になることから、互いに対向する２枚のガス交換膜３１０の間の空間に塵埃などが入ってきても自然に落下するため、ガス交換膜３１０表面上に塵埃が滞留して目詰まりが生じることによるガス交換能の劣化を防止することができる。
【００４３】
障子４０１の裏側にある、ガス交換装置３００が設けられた空間には、図示省略したダクトを通して外気を導入することができるようになっている。このため、このガス交換装置３００が設けられた空間と生活等空間１０１との間で障子４０１の障子紙自身をガス交換膜３１０としてガス交換を行うことができるようになっている。図示は省略するが、障子４０２の裏側にも同様な空間が設けられており、この空間に図示省略したダクトを通して外気を導入することができるようになっている。これらの空間は互いに分離されている。
【００４４】
この建築物の上記以外の構成は第１の実施の形態と同様である。
【００４５】
この第２の実施の形態によれば、第１の実施の形態と同様な利点を得ることができる。
【００４６】
〈３．第３の実施の形態〉
第３の実施の形態による建築物においては、第１の実施の形態による建築物において生活等空間１０１の天井壁１０４の上に設置されたファン・フィルターユニット２００の代わりに、通常の空調機が設置されており、この空調機にアタッチメント式のフィルターユニットが設置されている点が異なる。図１２Ａは天井壁１０４に設置された空調機７００を示す。空調機７００の、生活等空間１０１に面する前面パネル７０１の裏側に、図１２Ｂに示すように枠７０２にフィルター７０３が取り付けられたフィルターユニットが取り付けられている。フィルター７０３としては、ＨＥＰＡフィルターなどの高性能フィルターを用いてもよいが、１００％循環フィードバックを用いる本発明にあっては、中性能フィルターでも十分な性能を発揮する（特許文献１−３を参照のこと）。空調機７００には吸い込み口７０４から生活等空間１０１の中の空気が吸い込まれ、冷気または暖気にされた後、フィルター７０３を通ってダスト微粒子が除去され、フィルター７０３と前面パネル７０１との間の隙間を通して吹き出し口７０５から生活等空間１０１に吹き出されるようになっている。このため、このフィルターユニットが取り付けられた空調機７００は第１の実施の形態におけるファン・フィルターユニット２００と同様な働きを有する。
【００４７】
この建築物の上記以外の構成は第１の実施の形態と同様である。
【００４８】
この第３の実施の形態によれば、第１の実施の形態と同様な利点を得ることができる。
【００４９】
〈４．第４の実施の形態〉
第４の実施の形態による建築物においては、第１の実施の形態による建築物において生活等空間１０１の天井壁１０４の上に設置されたファン・フィルターユニット２００の代わりに、市販の天井カセット型空調機が設置されており、この天井カセット型空調機にフィルターユニットが設置されている点が異なる。すなわち、図１３に示すように、天井壁１０４に天井カセット型空調機８００が設置されている。天井カセット型空調機８００は昇降自在に設けられたカセット８０１を内蔵している。カセット８０１の、生活等空間１０１に面し、吸い込み口８０２および吹き出し口８０３が設けられた前面パネル８０４の裏側にフィルターユニット（図示せず）が取り付けられている。天井カセット型空調機８００の一例を挙げると、ダイキン工業株式会社製の型番ＳＺＲＣ４０ＢＡＮＶ（室内機：ＦＨＣＰ４０ＥＡ）である。また、フィルターユニットは必要に応じて選ばれるが、例えば、ダイキン工業株式会社製フィルターユニット（品番ＫＡＦＰ５５６Ｃ８０、ＫＡＦＰ５５６Ｃ１６０、ＫＡＦＰ５５７Ｃ８０、ＫＡＦＰ５５７Ｃ１６０）である。フィルター交換は、天井カセット型空調機８００に付属のリモコンを操作することによりカセット８０１を生活等空間１０１内に十分に降下させた後、フィルターユニットを前面パネル８０４から取り外し、フィルターを新品のものに交換する。その後、リモコンを操作することにより、カセット８０１を元の位置に上昇させる。天井カセット型空調機８００には吸い込み口８０２から生活等空間１０１の中の空気が吸い込まれ、冷気または暖気にされた後、フィルターを通ってダスト微粒子が除去され、フィルターと前面パネル８０４との間の隙間を通して吹き出し口８０３から生活等空間１０１に吹き出されるようになっている。このため、このフィルターを内蔵する天井カセット型空調機８００は第１の実施の形態におけるファン・フィルターユニット２００と同様な働きを有する。
【００５０】
この建築物の上記以外の構成は第１の実施の形態と同様である。
【実施例】
【００５１】
（実施例１）
実施例１では、第１の実施の形態による建築物において用いられるガス交換装置３００を実際に作製した例について説明する。
【００５２】
図１４Ａ〜Ｅはこのガス交換装置３００を示す写真である。ここで、図１４Ａ〜Ｅはそれぞれこのガス交換装置３００の主として側面を撮影した写真、上面を撮影した写真、上面および側面を撮影した写真ならびに側面を撮影した写真である。包囲体３６８は鉄製、平板３５１、３５２およびスペーサＳ1 、Ｓ2 は木製である。ガス交換装置３００のガス交換部３５０のガス交換膜３１０の間隔ｈ1 ＝２５ｍｍ、ｈ2 ＝５ｍｍに設定した。つまり、外気が通る通路の両面のガス交換膜３１０の間隔と内気が通る通路の両面のガス交換膜３１０の間隔とを非対称に設定した。ガス交換部３５０のサイズは６０ｃｍ×６０ｃｍ×３０ｃｍ、ガス交換膜３１０のサイズは５８ｃｍ×５８ｃｍ、ガス交換膜３１０の枚数は図２〜図５に示す例と同様に１９枚である。ガス交換装置３００（Ｇ×Ｂ) のガス交換膜３１０の総面積は約６．４ｍ2 である。
【００５３】
（実施例２）
実施例２は第２の実施の形態に対応するものである。
【００５４】
図１５は実施例２において作製したガス交換装置３００を示す写真である。ただし、図１５では、ガス交換装置３００の正面の板を取り外し、内部のガス交換部３５０が見えるようにしている。平板３５１、３５２およびスペーサＳ1 、Ｓ2 は木製である。ガス交換装置３００のガス交換部３５０のガス交換膜３１０の間隔ｈ1 ＝ｈ2 ＝１０ｍｍに設定した。つまり、外気が通る通路の両面のガス交換膜３１０の間隔と内気が通る通路の両面のガス交換膜３１０の間隔とを対称に設定した。ガス交換部３５０のサイズは３１ｃｍ×３１ｃｍ×３０ｃｍ、ガス交換膜３１０のサイズは３０ｃｍ×３０ｃｍ、ガス交換膜３１０の枚数は２９枚である。ガス交換装置３００（Ｇ×Ｂ) のガス交換膜３１０の総面積は約２．６ｍ2 である。ファン・フィルターユニットの流量は約２０ｍ3 ／分とした。部屋１００の生活等空間１０１の体積は約７０ｍ3 である。障子４０１、４０２のガス交換膜３１０の面積は約３．３ｍ2 である。
【００５５】
図１６は実施例２において使用した生活等空間１０１を内部から撮影した写真である。この生活等空間１０１の広さは約１７畳である。図１７は図１６に示す生活等空間１０１の１つの障子４０１の裏側の空間に図１５に示すガス交換装置３００が設置されている様子を示す写真である。
【００５６】
生活等空間１０１内で卓上ガスコンロを燃焼させたときの酸素濃度および二酸化炭素濃度の変化を測定した結果をそれぞれ図１８ＡおよびＢに示す。図１８Ｂは、内外で気流の交換のない（上の議論においてＦ＝０) の生活等空間１０１内において、ブタンのカセットガスコンロを全開で燃焼させて一旦二酸化炭素濃度を上昇させ、その後、ガス交換装置３００を稼働させた際の二酸化炭素濃度の変化を見たものである。酸素濃度はOxyman Plus OM-25MP01 （泰栄エンジニアリング）、二酸化炭素濃度はデータロガーMC-383SD(SATOTECH)を用いて測定した。ブタンの燃焼は
【化３】
2018084404.tif 000030
で記述される。これよりＢ’〜０．６Ｂと考えればよいことがわかる。燃焼により酸素が２０．９％から１９．９％まで、約０．０１（即ち１００００ｐｐｍ）減少する時には、二酸化炭素は、式（２０）より、
【数２０】
2018084404.tif 000031
増加することが予測される。実際、図１８ＡおよびＢにおいて時刻１２：３０に、酸素が１９．８％まで減少したとき、二酸化炭素は、初期値約４００ｐｐｍから約６８００ｐｐｍまで増加しており、式（２０）からの予測とよく一致する結果が得られる。図１８Ａでは、酸素濃度と二酸化炭素濃度とにきれいな対称的な時間変化がみられることから、両者の濃度変化の時定数はほぼ同じであり、ガス交換膜３１０中の酸素と二酸化炭素の拡散定数もほぼ等しいことが見て取れる。時刻１１：１５までは、図８の向かって右手の障子４０２のガス交換膜３１０（ＧＥＭ２）（面積約３．３ｍ2 ）を動作させ、時刻１１：１５より、向かって左手の障子４０１のガス交換膜３１０（ＧＥＭ１）（面積約３．３ｍ2 ）も加わった。時刻１１：４５に１本目のブタンガス燃料が切れたので、２本目のブタンガス燃料を用い、ガスコンロを同じく全開で燃焼させた。満タンのブタンガス燃料であるので、直後、二酸化炭素濃度は増加する。この燃焼条件ではブタンガス燃料は、約８０分で空になる（ブタン２５０ｇが燃焼し尽す）ことがわかる。単位時間当たりの燃焼量から式（２）をもとに計算すると、これは約３１人分の酸素消費量に相当する。この人数は、図７に示す部屋１００の生活等空間１０１には入りきれない大人数であるが、酸素濃度は１９．８％と（ひとつの安全の目安である）１８．５％以上の値をキープしている。時刻１２：３０にガス交換装置３００（Ｇ×Ｂ) （総面積約２．６ｍ2 ）を稼動させると、その濃度は減少に転じた（この振る舞いは上記の式（１６）できれいに記述される）。ガス交換膜３１０の近傍の気体流速の大きいガス交換装置３００がガス交換膜３１０より有利であることが示された。時刻１４：００において、二酸化炭素濃度は約４８００ｐｐｍと衛生的な限界値は下回っているが、この１７畳ほどの広さの生活等空間１０１に３１名が入ることは滅多にあることではないと判断されるが、この人数がこの部屋に長期滞在することは好ましくないことが示唆される。人数を数名（建築物環境衛生管理基準遵守には４名、学校環境衛生基準遵守には８名）に絞れば、障子４０１、４０２を用いた１００％循環フィードバックシステムおよびガス交換装置３００を備えた部屋１００の生活等空間１０１にて（室内外の間におけるバルクの気体[air mass]の交換によるところの換気風量はゼロであっても）長時間安心・安全に滞在できることもわかる。時刻１３：１０に３本目のブタンガス燃料に切り替えたが、二酸化炭素の減少傾向は続き、ガス交換装置３００の効果が確認できる。図１８ＡおよびＢを比較すると、この生活等空間１０１では、この中でガス交換膜３１０を用いた１００％循環フィードバックシステムおよびガス交換装置３００を稼働させると、生活等空間１０１内の酸素濃度の低下に歯止めがかかり、同時に、二酸化炭素濃度の上昇を抑えることがわかる。ガス交換が効率的に働いていることが実証された。
【００５７】
（実施例３）
実施例３は第３の実施の形態に対応するものである。
【００５８】
通常の空調機に、図１２ＢおよびＣに示すフィルター７０３として中性能フィルターを用いたフィルターユニットを装着したものをファン・フィルターユニットとして用いて１００％循環フィードバックシステムを構成し、生活等空間１０１内の清浄度（粒径ｄが０．５μｍ以上または２．５μｍ以上のダスト微粒子数の１立方フィート当たりの数）を測定した結果を図１９に示す。図１９に示すように、時間ｔ〜２００分までに、ＵＳ２０９Ｄクラス１０００級の清浄度が得られる。さらに、この部屋１００の中で、中性能フィルターを備えたファン・フィルターユニットを追加して稼働することで、同クラス３００〜４００の良好な清浄度が得られることが示された。また、面間隔対称型ガス交換装置３００を備え、かつ気密性を担保した約１７畳の広さをもつ部屋において１００％循環フィードバックシステムを駆動することによって、図１９に示すように、クラス１０級の清浄度を得ることにも成功している。更に、図２〜図５に示すガス交換装置３００を備え、内気循環送風風量〜０．４ｍ3 ／分にて動作させた、ＨＥＰＡフィルタ（ＰＳ１０）を備えた１００％循環フィードバックシステムを有する部屋（サイズは１．５ｍ×１．５ｍ×２ｍ）において、図２１に示すように、クラス１０級の清浄度が得られ、ガス交換装置３００と１００％循環フィードバックシステムによるファン・フィルターユニット駆動による高清浄化との両立が十分可能であることも示された。なお、図２１において、ＤＰ−ＣＵＳＰと記載されているものがこの部屋を意味し、ＣＵＳＰは１００％循環フィードバックシステムを意味する。
【００５９】
以上、この発明の実施の形態および実施例について具体的に説明したが、この発明は、上述の実施の形態および実施例に限定されるものではなく、この発明の技術的思想に基づく各種の変形が可能である。
【００６０】
例えば、上述の実施の形態においては、例えば、酸素、二酸化炭素の例を挙げたが、これ以外に一酸化炭素ＣＯや硫化水素Ｈ2 Ｓなど、温泉地域等の地域性や、練炭を使った鍋料理など状況に沿った変形応用が可能である（上記二酸化炭素に対して用いたξ、ξ0 を、今注目するガス種についてのものと再定義すると、上記の式ならびに式変形自体はそのまま適用することができる。もちろん、通常の生活等空間１０１では、ＣＯ、Ｈ2 Ｓに対してはξ0 〜０とできる）。また、上述の実施の形態および実施例において挙げた数値、構造、構成、形状、材料などはあくまでも例に過ぎず、必要に応じてこれらと異なる数値、構造、構成、形状、材料などを用いても良い。
【符号の説明】
【００６１】
１０…給気口、２０…排気口、１００…部屋、１０１…生活等空間、１０３…屋根、１０４…天井壁、１０４ａ、１０４ｂ、１０４ｃ、１０４ｄ…開口、１０５、１０６…側壁、２００…ファン・フィルターユニット、２０１…空気吸込口、２０２…空気吹出口、３００…ガス交換装置、３０１…内気回収口、３０２…還流口、３０３…外気導入口、３０４…排出口、３１０…ガス交換膜、３５０…ガス交換部、３６０…包囲体、４０１、４０２…障子、７００…空調機、８００…天井カセット型空調機
【図１】
2018084404.tif 000037
【図２】
2018084404.tif 000038
【図３】
2018084404.tif 000039
【図４】
2018084404.tif 000040
【図５】
2018084404.tif 000041
【図６】
2018084404.tif 000042
【図７】
2018084404.tif 000043
【図８】
2018084404.tif 000044
【図９】
2018084404.tif 000045
【図１０】
2018084404.tif 000046
【図１１】
2018084404.tif 000047
【図１２】
2018084404.tif 000048
【図１３】
2018084404.tif 000049
【図１４】
2018084404.tif 000050
【図１５】
2018084404.tif 000051
【図１６】
2018084404.tif 000052
【図１７】
2018084404.tif 000053
【図１８】
2018084404.tif 000054
【図１９】
2018084404.tif 000055
【図２０】
2018084404.tif 000056
【図２１】
2018084404.tif 000057
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
少なくとも１つの部屋を有し、
上記部屋は内部に閉空間である生活および／または活動空間を有し、
外界から上記生活および／または活動空間に対し風量Ｆの換気をもし行うと、
上記生活および／または活動空間の体積をＶ、上記生活および／または活動空間内部でのガス消費量をＢ（ｍ3 ／ｓ）、時刻ｔにおける上記生活および／または活動空間内部のガス濃度をη（ｔ）、外界の当該ガス濃度をη0 とし、上記生活および／または活動空間内の空気が十分にかき回されて当該空気を構成する各ガス分子の濃度が空間的に均一化したとき、η（ｔ）が
【数３】
2018084404.tif 000058
で与えられる建築物をベースとし、
当該生活および／または活動空間内部と外界との間の空気の気流としての出入りを無くし、上記生活および／または活動空間と外界との界面の少なくとも一部を、注目するガス分子について、ダスト微粒子を通さず、気体分子は通す、拡散定数Ｄ、厚みＬおよび面積Ａを有する膜によって構成し、当該生活および／または活動空間内の空気が十分にかき回されて当該空気を構成する各ガス分子の濃度が空間的に均一化したとき、η（ｔ）が
【数９】
2018084404.tif 000059
に従って変化するよう制御し、
さらに、法令またはその他の理由により要求される換気風量をＦとするとき、Ｆと上記膜の面積Ａとの間に、
Ａ≧ＦＬ／Ｄ
が成立するように上記膜の面積Ａが設定されていることを特徴とする建築物。
【請求項２】
上記注目するガス分子に関し、上記生活および／または活動空間の内外に濃度差があるときのみ当該ガス分子を内外でやりとりすることを特徴とする請求項１記載の建築物。
【請求項３】
上記生活および／または活動空間内部の空気環境を制御するに際し、上記生活および／または活動空間の外部に存在する、上記注目するガス分子以外のガス分子はやりとりしないことを特徴とする請求項１または２記載の建築物。
【請求項４】
少なくとも１つの部屋を有し、
上記部屋は内部に閉空間である生活および／または活動空間を有し、
外界から上記生活および／または活動空間に対し風量Ｆの換気をもし行うと、
上記生活および／または活動空間の体積をＶ、上記生活および／または活動空間内部でのガス消費量をＢ（ｍ3 ／ｓ）、時刻ｔにおける上記生活および／または活動空間内部のガス濃度をη（ｔ）、外界の当該ガス濃度をη0 とし、上記生活および／または活動空間内の空気が十分にかき回されて当該空気を構成する各ガス分子の濃度が空間的に均一化したとき、η（ｔ）が
【数３】
2018084404.tif 000060
で与えられる建築物をベースとし、
当該生活および／または活動空間内部と外界との間の空気の気流としての出入りを無くし、上記生活および／または活動空間と外界との界面の少なくとも一部を、注目するガス分子について、ダスト微粒子を通さず、気体分子は通す、拡散定数Ｄ、厚みＬおよび面積Ａを有する膜によって構成し、当該生活および／または活動空間内の空気が十分にかき回されて当該空気を構成する各ガス分子の濃度が空間的に均一化したとき、η（ｔ）が
【数９】
2018084404.tif 000061
に従って変化するよう制御し、
さらに、法令またはその他の理由により要求される換気風量をＦとするとき、Ｆと上記膜の面積Ａとの間に、
Ａ≧ＦＬ／Ｄ
が成立するように上記膜の面積Ａを設定することで、当該生活および／または活動空間内部と外界との間の空気の気流としての出入りを無くしつつも、当該生活および／または活動空間内の空気質を良好に保つことを特徴とする建築物の生活および／または活動空間内ガス分子濃度制御方法。